(57)【要約】    【課題】  ユーザに記録モードを確実に認識させて、より積極的に通知することで記録先を間違えるのを防止することができるビデオカメラを提供する。    【解決手段】  ビデオカメラ１００は、信号処理部２によって出力された画像データにユーザが操作時に認識すべき文字又は絵文字から成る所定の情報を合成して映像信号として出力する合成部３と、合成部３によって出力された映像信号を表示する液晶モニタ４と、磁気テープ記録ユニット８と、メモリカード記録ユニット９とを備える。所定の情報は、電子カメラ部１によって出力された画像データが磁気テープ記録ユニット８及びメモリカード記録ユニット９のどちらに記録されるかを示す記録先情報である。システム制御部５は、記録開始直後は、アイコンによる回転表示等のアニメーションＡ表示を実行する。【選択図】      図２
2006352183.tif 000002
【特許請求の範囲】
【請求項１】
画像データを出力する電子カメラ部と、前記出力された画像データを記録する第１の記録媒体と、前記出力された画像データを記録する第２の記録媒体と、前記出力された画像データの記録先を前記第１の記録媒体と前記第２の記録媒体の間で切替える切替え手段と、前記出力された画像データに所定の情報を合成して映像信号として出力する情報合成手段と、前記情報合成手段によって出力された映像信号を表示する表示手段とを備えるビデオカメラであって、
前記所定の情報は、前記出力された画像データが前記第１の記録媒体及び第２の記録媒体のどちらに記録されるかを示す記録先情報であることを特徴とするビデオカメラ。
【請求項２】
前記表示手段は、前記記録先情報を記録開始時から所定期間継続的に変化させることを特徴とする請求項１に記載のビデオカメラ。
【請求項３】
前記表示手段は、前記記録先情報を記録開始時から所定期間継続的に大きく変化させ、その後小さく変化させることを特徴とする請求項２に記載のビデオカメラ。
【請求項４】
画像データを出力する電子カメラ部と、前記画像データを記録する複数の記録媒体と、前記画像データの記録先を前記複数の記録媒体の間で切替える切替え手段と、前記画像データに所定の情報を合成して映像信号として出力する情報合成手段と、前記情報合成手段によって出力された映像信号を表示する表示手段とを備えるビデオカメラであって、
前記所定の情報は、前記画像データが前記複数の記録媒体のどれに記録されるかを示す記録先情報であることを特徴とするビデオカメラ。
【請求項５】
前記表示手段は、前記記録先情報を記録開始からの所定期間継続的に変化させることを特徴とする請求項４に記載のビデオカメラ。
【請求項６】
前記表示手段は、前記記録先情報を記録開始からの所定期間継続的に大きく変化させ、その後小さく変化させることを特徴とする請求項５に記載のビデオカメラ。
【請求項７】
前記表示手段は、前記記録先情報を記録開始から所定コマ数異なる態様で表示させることを特徴とする請求項４に記載のビデオカメラ。
【請求項８】
前記表示手段は、前記記録先情報を記録開始から所定コマ数異なる態様で表示させ、その後前記所定コマ数より少ないコマ数異なる態様で表示させることを特徴とする請求項７に記載のビデオカメラ。
【請求項９】
撮像部を備え、撮像された画像を格納するための第１の記録媒体、及び、当該第１の記録媒体とは異なる第２の記録媒体を装着可能なビデオカメラであって、
前記撮像部で撮像された画像を前記第１の記録媒体及び前記第２の記録媒体のいずれに格納するかを選択する選択部と、前記撮像部で撮像された画像、及び、装置の状態を表示する表示部と、前記選択部で選択された記録媒体への、前記撮像部で撮像された画像の記録を開始するか、停止するかを指示する録画指示部と、該録画指示部による指示状態に応じて、前記表示部を制御する表示制御部とを備え、
前記表示制御部は、選択された記録媒体への記録が停止状態にある場合、前記選択部で選択された記録媒体を表わす静止アイコン画像を前記表示部に表示し、選択された記録媒体への記録状態にある場合、前記選択部で選択された記録媒体を表わすアニメーションアイコンを前記表示部に表示することを特徴とするビデオカメラ。
【請求項１０】
前記表示制御部は、選択された記録媒体への記録を開始してから所定期間経過するまでの第１の期間と、当該第１の期間経過以降の第２の期間では、異なるアニメーションアイコンを表示することを特徴とする請求項９に記載のビデオカメラ。
【請求項１１】
前記表示制御部は、前記第１の期間ではアイコンの回転表示し、前記第２の期間ではアイコンのサイズを変化させて表示することを特徴とする請求項１０に記載のビデオカメラ。
【発明の詳細な説明】
【技術分野】
【０００１】
本発明は、ビデオカメラに関し、特に、動作情報表示を行うビデオカメラに関する。
【背景技術】
【０００２】
近年のビデオカメラは、磁気テープ媒体に動画を記録する機能だけでなく、取り外し可能な不揮発性半導体メモリカードに静止画や動画を記録する機能を有しており、ユーザは、１台の機器で、家庭のテレビジョンやパーソナルコンピュータで鑑賞したり、写真として印刷したり、電子メールやインターネットを使って映像メディアを配信したりするための動画や静止画を撮影、記録することが可能となっている。
【０００３】
上記従来のビデオカメラは、磁気テープ記録及びメモリカード記録を以下のように行う。
【０００４】
まず、ビデオカメラの電源スイッチを操作し、カメラ撮影オフの状態からオンの状態に切替える。次に、記録モード切替えスイッチを操作して、テープ記録モードか、カード記録モードに切替える。電源スイッチと記録モード切替えスイッチが複合されている機種では、電源オン／オフ、テープ記録モード、カード記録モード等を１つのスイッチで切替える。
【０００５】
テープ記録モード又はカード記録モードに移行すると、被写体の映像を確認するビデオカメラが有する液晶モニタに、現在、記録モードが磁気テープ記録なのかメモリカード記録なのかをメッセージや絵文字で表示する。
【０００６】
これらの記録モードにおいて撮影する場合、記録ボタンを押して、記録モードに応じた記録先に撮像した画像データの記録を行う。
【０００７】
このような撮影モードの切替えに関連してモニタ上の表示を切替える例として、静止画モード、連写モード及び動画モードを含む複数のモードの中から１つのモードを設定することができるデジタルカメラにおいて、記録モード設定操作が行なわれたとき、設定すべき記録モードに移行する前に、設定すべき記録モードを表わすアイコンを画像モニタに一定時間に亘って表示するものもあった（例えば、特許文献１参照）。
【特許文献１】特開２００３−１０１８２４号公報
【発明の開示】
【発明が解決しようとする課題】
【０００８】
しかしながら、前述の従来のビデオカメラでは、ユーザはどちらに記録させるかを知るには、上記液晶モニタを見て情報表示を確認するか、テープ記録モード、カード記録モードの切替え操作をした操作者自身の記憶に頼ることとなる。液晶モニタに記録モードを表示する場合には、ユーザがどのモードかを意識して確認する必要があり、わずらわしい。操作者の記憶に頼るのは、往々にして勘違いを招くことになる。特に、録画スイッチと記録モード切替えスイッチが複合されている機種ではなく、録画スイッチと記録モード切替えスイッチが独立している機種では、録画スイッチを操作することに気を取られて、記録モードにまで気を回すことは難しい。
【０００９】
本発明の目的は、ユーザに記録モードを確実に認識させて、より積極的に通知することで記録先を間違えるのを防止することができるビデオカメラを提供することにある。
【課題を解決するための手段】
【００１０】
上記目的を達成するために、請求項１記載のビデオカメラは、画像データを出力する電子カメラ部と、前記出力された画像データを記録する第１の記録媒体と、前記出力された画像データを記録する第２の記録媒体と、前記出力された画像データの記録先を前記第１の記録媒体と前記第２の記録媒体の間で切替える切替え手段と、前記出力された画像データに所定の情報を合成して映像信号として出力する情報合成手段と、前記情報合成手段によって出力された映像信号を表示する表示手段とを備えるビデオカメラであって、前記所定の情報は、前記出力された画像データが前記第１の記録媒体及び第２の記録媒体のどちらに記録されるかを示す記録先情報であることを特徴とする。
【００１１】
請求項２記載のビデオカメラは、請求項１記載のビデオカメラにおいて、前記表示手段は、前記記録先情報を記録開始時から所定期間継続的に変化させることを特徴とする。
【００１２】
請求項３記載のビデオカメラは、請求項２記載のビデオカメラにおいて、前記表示手段は、前記記録先情報を記録開始時から所定期間継続的に大きく変化させ、その後小さく変化させることを特徴とする。
【００１３】
上記目的を達成するために、請求項４記載のビデオカメラは、画像データを出力する電子カメラ部と、前記画像データを記録する複数の記録媒体と、前記画像データの記録先を前記複数の記録媒体の間で切替える切替え手段と、前記画像データに所定の情報を合成して映像信号として出力する情報合成手段と、前記情報合成手段によって出力された映像信号を表示する表示手段とを備えるビデオカメラであって、前記所定の情報は、前記画像データが前記複数の記録媒体のどれに記録されるかを示す記録先情報であることを特徴とする。
【００１４】
請求項５記載のビデオカメラは、請求項４記載のビデオカメラにおいて、前記表示手段は、前記記録先情報を記録開始からの所定期間継続的に変化させることを特徴とする。
【００１５】
請求項６記載のビデオカメラは、請求項５記載のビデオカメラにおいて、前記表示手段は、前記記録先情報を記録開始からの所定期間継続的に大きく変化させ、その後小さく変化させることを特徴とする。
【００１６】
請求項７記載のビデオカメラは、請求項４記載のビデオカメラにおいて、前記表示手段は、前記記録先情報を記録開始から所定コマ数異なる態様で表示させることを特徴とする。
【００１７】
請求項８記載のビデオカメラは、請求項７記載のビデオカメラにおいて、前記表示手段は、前記記録先情報を記録開始から所定コマ数異なる態様で表示させ、その後前記所定コマ数より少ないコマ数異なる態様で表示させることを特徴とする。
【００１８】
上記目的を達成するために、請求項９記載のビデオカメラは、撮像部を備え、撮像された画像を格納するための第１の記録媒体、及び、当該第１の記録媒体とは異なる第２の記録媒体を装着可能なビデオカメラであって、前記撮像部で撮像された画像を前記第１の記録媒体及び前記第２の記録媒体のいずれに格納するかを選択する選択部と、前記撮像部で撮像された画像、及び、装置の状態を表示する表示部と、前記選択部で選択された記録媒体への、前記撮像部で撮像された画像の記録を開始するか、停止するかを指示する録画指示部と、該録画指示部による指示状態に応じて、前記表示部を制御する表示制御部とを備え、前記表示制御部は、選択された記録媒体への記録が停止状態にある場合、前記選択部で選択された記録媒体を表わす静止アイコン画像を前記表示部に表示し、選択された記録媒体への記録状態にある場合、前記選択部で選択された記録媒体を表わすアニメーションアイコンを前記表示部に表示することを特徴とする。
【００１９】
請求項１０記載のビデオカメラは、請求項９記載のビデオカメラにおいて、前記表示制御部は、選択された記録媒体への記録を開始してから所定期間経過するまでの第１の期間と、当該第１の期間経過以降の第２の期間では、異なるアニメーションアイコンを表示することを特徴とする。
【００２０】
請求項１１記載のビデオカメラは、請求項１０記載のビデオカメラにおいて、前記表示制御部は、前記第１の期間ではアイコンの回転表示し、前記第２の期間ではアイコンのサイズを変化させて表示することを特徴とする。
【発明の効果】
【００２１】
本発明のビデオカメラによれば、出力された画像データに、当該画像データが複数の記録媒体のどれに記録されるかを示す記録先情報が合成された映像信号を表示するので、ユーザに画像データの記録先を認識させて、記録先を間違えないようにすることができる。
【００２２】
好ましくは、記録先情報を記録開始時から所定期間継続的に変化させるので、ユーザに画像データの記録先を確実に認識させることができる。
【００２３】
好ましくは、記録先情報を記録開始時から所定期間継続的に大きく変化させ、その後小さく変化させるので、ユーザに画像データの記録先をさらに確実に認識させることができる。
【発明を実施するための最良の形態】
【００２４】
以下、本発明の実施の形態を図面を参照しながら詳述する。
【００２５】
図１は、本発明の実施の形態に係るビデオカメラ１００の構成を概略的に示すブロック図である。
【００２６】
図１において、ビデオカメラ１００は、装置全体の制御を司るシステム制御部５と、レンズ、絞り、ＣＣＤ等からなり、被写体からの光信号を電気信号に変換して画像データを出力する電子カメラ部１と、電子カメラ部１によって出力された画像データを画像処理する信号処理部２と、信号処理部２によって出力された画像データとシステム制御部５から出力された所定の情報を合成し、その合成結果を映像信号として出力する合成部３と、合成部３によって出力された映像信号を表示する液晶モニタ４とを備える。また、ビデオカメラ１００は、ビデオカメラ１００の電源入／切を切替える電源スイッチ６、記録モードを切替える記録モード切替えスイッチ７、及び、録画を行うか否かを指示する録画スイッチ１０を備える。なお、ビデオカメラ１００は、これ以外にも再生に関する各種スイッチを備えるが、図示はしていない。
【００２７】
また、ビデオカメラ１００は、磁気テープカセット８ａを収納し、磁気テープカセット８ａの磁気テープに信号処理部２から出力された画像データを映像の記録として記録する磁気テープ記録ユニット８を備える。そして、メモリカード９ａを収納し、メモリカード９ａに信号処理部２から出力された画像データを映像の記録としてメモリカード記録ユニット９を備える。
【００２８】
記録モード切替えスイッチ７は、撮像した画像をメモリカード９ａに記録するカード記録モード、磁気テープカセット８ａに記録するテープ記録モードのいずれか一方を選択するためのスイッチである。録画スイッチ１０は録画を行うか否かを指示するスイッチである。この録画スイッチ１０は押下するとＯＮになり、もう一度押下するとＯＦＦになる。録画スイッチ１０がＯＮになると、システム制御部５は、記録モード切替えスイッチ７で選択された磁気テープ記録ユニット８、メモリカード記録ユニット９のいずれか一方を制御して、信号処理部２で処理された画像データを記録媒体（磁気テープカセット８ａ、又は、メモリカード９ａのいずれか）に記録する。
【００２９】
また、システム制御部５は、電源スイッチ６がＯＮになり、撮影モード（再生モードについては実施形態では説明しない）にあるとき、撮影状態に応じた情報をメモリ５ａから読出し、合成部３に出力する。この結果、各状況に応じた情報と撮像画像との合成画像が液晶モニタ４に表示されることになる。なお、このメモリ５ａには、各状況に応じたメッセージとなる文字列の画像データとアイコン（絵文字）の画像データが格納されている。図３は、メモリ５ａに格納されているアイコン画像の例を示している（詳細後述）。
【００３０】
図２は、図１のビデオカメラ１００によって実行される動作情報表示処理の手順を示すフローチャートである。
【００３１】
図２において、電源スイッチ６の電源オン操作によりビデオカメラ１００をカメラ撮影モードで起動する（ステップＳ１０）。次に、システム制御部５は、モード切替えスイッチ７の状態に応じて、記録モードをテープ記録モード又はカード記録モードの何れかに移行する（ステップＳ１１）。
【００３２】
続くステップＳ１２に処理が進むと、システム制御部５は、現在の記録モードに応じた文字やアイコンの情報をメモリ５ａから読出し、合成部３に出力する。この結果、液晶モニタ４には、図４又は図５に示すような合成後の画像を表示することになる。図４は、記録モードがテープ記録モードの場合の液晶モニタ４の表示例を示し、図５は記録モードがカード記録モードの場合の表示例である。図４、図５に示すように、各記録モードを明示するため文字列「ＴＡＰＥ  ＭＯＤＥ（テープモード）」、或いは、「ＣＡＲＤ  ＭＯＤＥ（カードモード）」を表示する。また、画面の右上の位置には、図３におけるメモリ５ａにおける待機時２１のカセットテープのアイコン（絵文字）４１、又は、メモリカードのアイコン（絵文字）５１を表示する。なお、図４、図５では、図示していないが、電子カメラ部１で撮像されている画像が合成表示されることになる。
【００３３】
次いで、システム制御部５は、録画スイッチ１０がＯＮになったと判断した場合、静止画又は動画から成る画像データを磁気テープ８ａ、メモリカード９ａのいずれかに書き込むため、モード切替えスイッチ７の切替え状態に応じて磁気テープ記録ユニット８又はメモリカード記録ユニット９のいずれか一方を駆動し、記録を開始する（ステップＳ１３）。次に、システム制御部５は、記録中か否かを判別する（ステップＳ１４）。
【００３４】
ステップＳ１４の判別の結果、記録中であると判定した場合には、記録開始直後か否かを判別する（ステップＳ１５）。記録開始直後であると判断した場合には、カセットテープやメモリカードをかたどった絵文字（アイコン）をそれまでの固定表示（図３の待機時２１）から図３の記録開始時２２に示される幾つか（図示では８個）のアイコン画像を図示の矢印の順に表示を繰り返すことでアニメーションＡ表示を行う（ステップＳ１６）。この結果、テープ記録モードが選択され待機状態にあるとき、録画スイッチ１０をＯＮにした直後では、図４のアイコン４１があたかも回転表示されるものとなる。すなわち、固定表示されたアイコン４１がアニメーションＡ表示に切り換わり、ビデオカメラ１００が待機状態から録画状態に変化したことを操作者に積極的に知らしめることができる。しかも、アイコン４１がカセットテープの形をしたアイコンであることにより、操作者に録画する画像の格納先は磁気テープ記録ユニット８を介して磁気テープカセット８ａに記録されていることを通知することができる。これは、記録モードがメモリカード記録モードである場合にも同様である。
【００３５】
なお、実施形態では、録画開始直後でのアイコン４１、或いは、アイコン５１のアニメーション表示では、アイコンの回転を例にしたが、回転に限らず、その表示位置を変化させたり、大きさを変化させるようにしてもよい。特に、録画開始直後では、液晶モニタ４の中央位置に、アイコン４１、又は、アイコン５１を移動し、そこで回転表示等のアニメーションを行うようにすると、操作者に確実に録画が開始されたこと、並びに、どの記録媒体に記録されているのかを通知することができる。
【００３６】
また、記録開始直後かどうかの判断は所定時間の経過、例えば撮影に目障りにならないような秒単位の短時間（４、５秒程度）が経過したかどうかで判断する。また、図３のように、アニメーションＡのコマを何コマ分表示したかどうかで判断しても良い。図３におけるアニメーションＡにおいて、例えば、アニメーション表示の各アイコンの表示時間間隔を０．１秒とし、４秒間だけアニメーション表示するとするなら、４／０．１＝４０となる。従って、アイコン４１が１回転するのに利用する画像の数は８個であるから、アイコンが５回転するまでの期間を記録開始直後とすることができる。
【００３７】
さて、上記のようにしてアニメーションＡの表示が終わると、ステップＳ１５の判定がＮＯとなり、ステップＳ１７のアニメーションＢ表示に移行する。このアニメーションＢは、図３の記録中状態２３に示すように、大小２つのアイコン画像を交互に表示するものである。この動きは、録画スイッチ１０が再度押下され、ＯＦＦになるまで行われる。
【００３８】
このアニメーションＢは、選択された記録媒体への記録が開始されて、所定時間経過した場合に行われる。つまり、選択された記録媒体への記録が操作者の意図したものであると判断して良い。また、操作者は被写体の撮影に注視していると考えてよいので、アニメーションＢはアニメーションＡよりは目立たないものとした。なお、アニメーションＢで表示するアイコンの位置は、必ず、液晶モニタ４の隅位置にすることが望まれる。
【００３９】
図２の処理によれば、録画スイッチ１０をＯＦＦの状態（録画待機状態）では、記録モードで選択された記録媒体の形を模したアイコン４１、またはアイコン５１が固定表示されており、録画スイッチ１０をＯＮにした状態（録画状態）になるとアイコン４１、またはアイコン５１が回転表示等のアニメーションＡ表示することで、操作者に対して視覚変化を与えることが可能となる。この結果、操作者は、撮像した画像がいずれの記録媒体に格納されるのかを容易に認識することができる。また、録画開始して所定時間経過すると、アニメーションＡからアニメーションＢに切り換わることで、そこでも視覚変化を操作者に誘発させ、操作者への記録モードの通知を確実なものとすることができる。この結果、画像データの記録時にその記録先をユーザに知らしめ、撮影の失敗を最小限にとどめることができる。
【００４０】
上記実施の形態では、画像データの記録先として磁気テープ記録ユニット８、メモリカード記録ユニット９を例に挙げたが、他の記録媒体、例えば、磁気ハードディスクや、光ディスク等であってもよい。
【図面の簡単な説明】
【００４１】
【図１】本発明の実施の形態に係るビデオカメラの構成を概略的に示すブロック図である。
【図２】図１のビデオカメラ１００によって実行される動作情報表示処理の手順を示すフローチャートである。
【図３】図２のステップＳ１６及びＳ１７で実行されるアイコンのアニメーションの作動を説明するのに用いられる図である。
【図４】図２のステップＳ１２で表示される画面表示を説明するのに用いられる図であり、磁気テープ記録モード時の場合を示す図である。
【図５】図２のステップＳ１２で表示される画面表示を説明するのに用いられる図であり、メモリカード記録モード時の場合を示す図である。
【符号の説明】
【００４２】
１  電子カメラ部
２  信号処理部
３  合成部
４  液晶モニタ
５  システム制御部
６  電源スイッチ
７  記録モード切替えスイッチ
８  磁気テープ記録ユニット
９  メモリカード記録ユニット
１０  録画スイッチ
【図１】
2006352183.tif 000003
【図２】
2006352183.tif 000004
【図３】
2006352183.tif 000005
【図４】
2006352183.tif 000006
【図５】
2006352183.tif 000007